【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
通信回線を介して発信者側と通話動作を行う通話手段と、受信した発信者電話番号を複数記憶する発信者電話番号記憶手段と、発信者電話番号を表示する表示手段と、発信者電話番号の登録名を入力する入力手段と、発信者電話番号と登録名とが登録される電話帳手段と、を備えた通信装置であって、前記通信回線を介して着呼があったときに、受信した発信者電話番号を前記表示手段によって表示し、前記通話手段によって発信者側と通話動作を行う一方、通話動作が終了したときに、前記発信者電話番号記憶手段に記憶されている複数の発信者電話番号から前記電話帳手段へ登録する発信者電話番号を選択するとともに、該選択された発信者電話番号に前記入力手段によって入力された登録名を新たに対応付けて前記電話帳手段に登録することを特徴とする通信装置。
【請求項２】
前記選択された発信者電話番号を前記電話帳手段へ転送し、該転送された発信者電話番号に前記入力手段によって入力された登録名を新たに対応付けすることを特徴とする請求項１に記載の通信装置。
【請求項３】
前記通信回線を介して着呼があったときに、発信者電話番号を受信しなかった場合には前記表示手段に発信者電話番号を表示しないように制御することを特徴とする請求項１または２に記載の通信装置。
【請求項４】
前記電話帳手段に登録された発信者電話番号を選択して発呼することを特徴とする請求項１乃至３のいずれかに記載の通信装置。
【請求項５】
通信回線を介して発信者側と通話動作を行う通話手段と、受信した発信者電話番号を複数記憶する発信者電話番号記憶手段と、発信者電話番号を表示する表示手段と、発信者電話番号の登録名を入力する入力手段と、発信者電話番号と登録名とが登録される電話帳手段と、を備えた通信装置における通信方法であって、前記通信回線を介して着呼があったときに、受信した発信者電話番号を前記表示手段によって表示する表示ステップと、前記通話手段によって発信者側と通話動作を行う一方、通話動作が終了したときに、前記発信者電話番号記憶手段に記憶されている複数の発信者電話番号から前記電話帳手段へ登録する発信者電話番号を選択するとともに、該選択された発信者電話番号に前記入力手段によって入力された登録名を新たに対応付けて前記電話帳手段に登録する登録ステップとを、備えることを特徴とする通信方法。
【請求項６】
前記登録ステップは、前記選択された発信者電話番号を前記電話帳手段へ転送し、該転送された発信者電話番号に前記入力手段によって入力された登録名を新たに対応付けすることを特徴とする請求項５に記載の通信方法。
【請求項７】
前記表示ステップは、前記通信回線を介して着呼があったときに、発信者電話番号を受信しなかった場合には前記表示手段に発信者電話番号を表示しないように制御することを特徴とする請求項５または６に記載の通信方法。
【請求項８】
前記電話帳手段に登録された発信者電話番号を選択して発呼する発呼ステップを備えることを特徴とする請求項５乃至７のいずれかに記載の通信方法。
【手続補正２】
【補正対象書類名】明細書
【補正対象項目名】発明の名称
【補正方法】変更
【補正の内容】
【発明の名称】通信装置および通信方法
【手続補正３】
【補正対象書類名】明細書
【補正対象項目名】０００１
【補正方法】変更
【補正の内容】
【０００１】
本発明は、通信装置および通信方法、より詳細には、発信者側が送信した発信者側の電話番号を受信し、その電話番号を記憶することが可能な通信装置および通信方法に関し、携帯電話やＰＨＳに応用可能な通信装置および通信方法に関する。
【手続補正４】
【補正対象書類名】明細書
【補正対象項目名】０００６
【補正方法】変更
【補正の内容】
【０００６】
本発明は、上述のような実情を考慮してなされたもので、電話番号の電話帳への登録を、簡単な操作により、しかも、正確に行うことが可能な通信装置および通信方法を提供することを目的としてなされたものである。
【手続補正５】
【補正対象書類名】明細書
【補正対象項目名】０００７
【補正方法】変更
【補正の内容】
【０００７】
請求項１の発明は、通信回線を介して発信者側と通話動作を行う通話手段と、受信した発信者電話番号を複数記憶する発信者電話番号記憶手段と、発信者電話番号を表示する表示手段と、発信者電話番号の登録名を入力する入力手段と、発信者電話番号と登録名とが登録される電話帳手段と、を備えた通信装置であって、前記通信回線を介して着呼があったときに、受信した発信者電話番号を前記表示手段によって表示し、前記通話手段によって発信者側と通話動作を行う一方、通話動作が終了したときに、前記発信者電話番号記憶手段に記憶されている複数の発信者電話番号から前記電話帳手段へ登録する発信者電話番号を選択するとともに、該選択された発信者電話番号に前記入力手段によって入力された登録名を新たに対応付けて前記電話帳手段に登録することを特徴とする。
請求項２の発明は、請求項１の発明において、前記選択された発信者電話番号を前記電話帳手段へ転送し、該転送された発信者電話番号に前記入力手段によって入力された登録名を新たに対応付けすることを特徴とする。
請求項３の発明は、請求項１または２の発明において、前記通信回線を介して着呼があったときに、発信者電話番号を受信しなかった場合には前記表示手段に発信者電話番号を表示しないように制御することを特徴とする。
請求項４の発明は、請求項１乃至３のいずれかの発明において、前記電話帳手段に登録された発信者電話番号を選択して発呼することを特徴とする。
請求項５の発明は、通信回線を介して発信者側と通話動作を行う通話手段と、受信した発信者電話番号を複数記憶する発信者電話番号記憶手段と、発信者電話番号を表示する表示手段と、発信者電話番号の登録名を入力する入力手段と、発信者電話番号と登録名とが登録される電話帳手段と、を備えた通信装置における通信方法であって、前記通信回線を介して着呼があったときに、受信した発信者電話番号を前記表示手段によって表示する表示ステップと、前記通話手段によって発信者側と通話動作を行う一方、通話動作が終了したときに、前記発信者電話番号記憶手段に記憶されている複数の発信者電話番号から前記電話帳手段へ登録する発信者電話番号を選択するとともに、該選択された発信者電話番号に前記入力手段によって入力された登録名を新たに対応付けて前記電話帳手段に登録する登録ステップとを、備えることを特徴とする。
請求項６の発明は、請求項５の発明において、前記登録ステップは、前記選択された発信者電話番号を前記電話帳手段へ転送し、該転送された発信者電話番号に前記入力手段によって入力された登録名を新たに対応付けすることを特徴とする。
請求項７の発明は、請求項５または６の発明において、前記表示ステップは、前記通信回線を介して着呼があったときに、発信者電話番号を受信しなかった場合には前記表示手段に発信者電話番号を表示しないように制御することを特徴とする。
請求項８の発明は、請求項５乃至７のいずれかの発明において、前記電話帳手段に登録された発信者電話番号を選択して発呼する発呼ステップを備えることを特徴とする。
【手続補正６】
【補正対象書類名】明細書
【補正対象項目名】０００８
【補正方法】変更
【補正の内容】
【０００８】
本発明は、受信して一時的に記憶した発信者側の電話番号を、所定の単一の操作によって電話番号記憶手段に転送して記憶するとともに、該電話番号に対応した任意の登録名を、所定の単一の操作によって登録し、該登録した電話番号を、所定の単一の操作によって選択して発呼することでき、簡単な操作で、しかも、正確に電話番号の登録をすることができる。